(57)【要約】【課題】  その目的とするところは店頭での展示性の高い新しい包装形態のゲーブルトップ型包装箱を提供することにある。【解決手段】  ４枚の側面パネルが連接された筒状の胴部と、側面パネルの下端に連接する底部と、筒状の胴部の上端に連接する切妻屋根部とを備え、切妻屋根部は、一の方向で互いに対向する屋根妻パネルと、二の方向で互いに対向すると共に当該対向する間に屋根妻パネルが折り込まれる屋根パネルと、屋根パネルの上部に上方に突出した棟部とで構成されるゲーブルトップ型包装箱であって、棟部が、一方の屋根パネルの上端に連接されており、他方の屋根パネルの上端に差し込み片が延設されており、一方の屋根パネルと折り込まれた屋根妻パネルとの間に差し込み片が差し込まれていることを特徴とする。【選択図】        図１
2020158126.tif 000002
【特許請求の範囲】
【請求項１】
４枚の側面パネルが連接された筒状の胴部と、前記側面パネルの下端に連接する底部と、筒状の前記胴部の上端に連接する切妻屋根部とを備え、
前記切妻屋根部は、一の方向で互いに対向する屋根妻パネルと、前記一の方向に交差する二の方向で互いに対向すると共に当該対向する間に前記屋根妻パネルが折り込まれる屋根パネルと、前記屋根パネルの上部が互いに接するか乃至近接する部分に上方に突出した棟部とで構成されるゲーブルトップ型包装箱であって、
前記棟部が、前記二の方向で互いに対向する前記屋根パネルのうち、一方の屋根パネルの上端に連接されており、
他方の屋根パネルの上端に差し込み片が延設されており、
前記一方の屋根パネルと折り込まれた前記屋根妻パネルとの間に前記差し込み片が前記二の方向に折り曲げて差し込まれていることを特徴とするゲーブルトップ型包装箱。
【請求項２】
前記棟部が、前記一方の屋根パネルの上端に折り線を介して順に第１棟部形成片、第２棟部形成片、折り込み片が連接され、前記第１棟部形成片と前記第２棟部形成片の内面が重合され、前記折り込み片が前記一方の屋根パネルの側に折り曲げられていることを特徴とする請求項１に記載のゲーブルトップ型包装箱。
【発明の詳細な説明】
【技術分野】
【０００１】
本発明は、切妻屋根型のゲーブルトップ型包装箱に関し、詳しくは、粉末、固体等の食品類が個包装または個包装をさらに集合包装された物品を収容するゲーブルトップ型包装箱に関する。
【背景技術】
【０００２】
従来、ゲーブルトップ型紙容器は、牛乳、ジュース、清涼飲料等を収容した液体用紙容器が広く知られており、ビン、缶に代わる包装形態として多用されている。このような包装形態は、顧客がスーパー等の食品売り場で目にすると収容されている内容物は食品用液体であると判別されるくらい周知されている（例えば特許文献１参照）。
【先行技術文献】
【特許文献】
【０００３】
【特許文献１】実用新案登録第２５８９８８６号公報
【発明の概要】
【発明が解決しようとする課題】
【０００４】
特許文献１に代表されるゲーブルトップ型紙容器は、リブパネルより開封されるが、リブパネルに仮着部が設けられており、開け易くなるように工夫がされている。しかし、仮着部以外は強接着部とされ、内容物の液体が漏れないようにされている。したがって、開封したとき、紙容器の紙が層間剥離を起こし、また、リブパネルに折れシワが発生しやすく見栄えが悪くなるという問題がある。また、顧客に物品を見せたいとき、窓部を備えた包装箱が用いられる。窓部を備えた包装箱は、物品が目視可能であり顧客にアピールできる形態ではあるが、やはり包装箱は直方体形状であり、店頭に陳列されると他の商品との差別化が図りにくいものである。
【０００５】
また、従来の包装箱は、主に直方体形状であるために、いずれの商品も同じように見え、他の商品と差別化が図りにくいという問題がある。一方、包装箱を使用するユーザー等からは店頭で陳列した際、展示性の高い新しい包装形態の開発が望まれている。
【０００６】
そこで本発明は、上記問題を解決すべくなされたものであり、その目的とするところは店頭での展示性の高い新しい包装形態のゲーブルトップ型包装箱を提供することにある。
【課題を解決するための手段】
【０００７】
本発明は、上記課題を達成するために、請求項１記載の本発明は、４枚の側面パネルが連接された筒状の胴部と、前記側面パネルの下端に連接する底部と、筒状の前記胴部の上端に連接する切妻屋根部とを備え、前記切妻屋根部は、一の方向で互いに対向する屋根妻パネルと、前記一の方向に交差する二の方向で互いに対向すると共に当該対向する間に前記屋根妻パネルが折り込まれる屋根パネルと、前記屋根パネルの上部が互いに接するか乃至近接する部分に上方に突出した棟部とで構成されるゲーブルトップ型包装箱であって、前記棟部が、前記二の方向で互いに対向する前記屋根パネルのうち、一方の屋根パネルの上端に連接されており、他方の屋根パネルの上端に差し込み片が延設されており、前記一方の屋根パネルと折り込まれた前記屋根妻パネルとの間に前記差し込み片が前記二の方向に折り曲げて差し込まれていることを特徴とするゲーブルトップ型包装箱である。
【０００８】
また、請求項２記載の本発明は、請求項１に記載のゲーブルトップ型包装箱において、前記棟部が、前記一方の屋根パネルの上端に折り線を介して順に第１棟部形成片、第２棟部形成片、折り込み片が連接され、前記第１棟部形成片と前記第２棟部形成片の内面が重合され、前記折り込み片が前記一方の屋根パネルの側に折り曲げられていることを特徴とするものである。
【発明の効果】
【０００９】
本発明は、店頭での展示性の高い新しい包装形態のゲーブルトップ型包装箱を提供できる。また、他方の屋根パネルに延設された差し込み片は一方の屋根パネルと折り込まれた屋根妻パネルの間に差し込みが自在であり、開封後、内容物を必要なだけ取り出し、再封が可能である。
【図面の簡単な説明】
【００１０】
【図１】本発明に係るゲーブルトップ型包装箱の一例を示す斜視図である。
【図２】図１のゲーブルトップ型包装箱を組み立てるブランクの展開図である。
【図３】図２のブランクを組み立てる手順を示す平面図である。
【図４】図２のブランクを組み立てる手順を示す底面図である。
【図５】図２のブランクを組み立てる手順を示し、図１の底面図である。
【図６】図２のブランクを組み立てる手順を示す斜視図である。
【図７】図１のＹ−Ｙ断面図であって、切妻屋根部の構造を示す説明図である。
【発明を実施するための形態】
【００１１】
次に、本発明の実施形態について図面を参照しながら詳細に説明する。
【００１２】
図１は本発明に係るゲーブルトップ型包装箱の一例を示す斜視図、図２は図１のゲーブルトップ型包装箱を組み立てるブランクの展開図、図３は図２のブランクを組み立てる手順を示す平面図、図４は図２のブランクを組み立てる手順を示す底面図、図５は図２のブランクを組み立てる手順を示し、図1の底面図、図６は図２のブランクを組み立てる手順を示す斜視図、図７は図１のＹ−Ｙ断面図であって、切妻屋根部の構造を示す説明図であり、図中の１はゲーブルトップ型包装箱、１’は折り畳まれたゲーブルトップ型包装箱、１０は胴部、１１は糊代片、１２、１３、１４、１５は側面パネル、２０は切妻屋根部、２２、２４は屋根パネル、２２ａは第１棟部形成片、２２ｂは第２棟部形成片、２２ｃは折り込み片、２３、２５は屋根妻パネル、２４ａは差し込み片、３０は底部、３０’は折り込まれた底部、３２、３３、３４、３５は底面パネル、３２ａ、３４ａは接着片、１００はブランク、Ｋは開口、Ｔは棟部、ｍ、ｎ１、ｎ２は折り線、α、βは折り込み部をそれぞれ示す。
【００１３】
図１は本発明に係るゲーブルトップ型包装箱１の一例を示す斜視図であり、４枚の側面パネルが連接された筒状の胴部１０と、側面パネルの下端に連接する底部３０と、筒状の胴部１０の上端に連接する切妻屋根部２０とを備えたゲーブルトップ型包装箱である。
【００１４】
切妻屋根部２０は、図１に示すように一の方向で互いに対向する屋根妻パネル２３、２５と、一の方向に交差する二の方向で互いに対向すると共に当該対向する間に屋根妻パネル２３、２５が折り込まれる屋根パネル２２、２４と、屋根パネル２２、２４の上部が互いに接するか乃至近接する部分に上方に突出した棟部Ｔとで構成される。このようなゲーブルトップ型包装箱１は、図２に展開図で示すブランク１００を組み立てて形成されるものである。
【００１５】
図２のブランク１００は、ゲーブルトップ型包装箱１に用いられる板紙を打ち抜いて作製したものであり、図２に示すように、左から右に向かい折り線を介して糊代片１１、側面パネル１２、１３、１４、１５が順に連接されている。側面パネル１２の上辺には折り線を介して屋根パネル２２が連接され、さらに屋根パネル２２の上辺には折り線を介して第１棟部形成片２２ａ、第２棟部形成片２２ｂ、折り込み片２２ｃが連接され、側面パネル１２の下辺には折り線を介して底面パネル３２が連接され、さらに底面パネル３２の右側には斜めに傾斜した折り線ｍを介して接着片３２ａが連接されている。側面パネル１３の上辺には折り線を介して屋根妻パネル２３が連接され、下辺には折り線を介して底面パネル３３が連接されている。側面パネル１４の上辺には折り線を介して屋根パネル２４が連接され、屋根パネル２４の上辺に折り線を介して差し込み片２４ａが連接され、下辺には折り線を介して底面パネル３４が連接され、さらに底面パネル３４の右側には斜めに傾斜した折り線ｍを介して接着片３４ａが連接されている。側面パネル１５の上辺には折り線を介して屋根妻パネル２５が連接され、下辺には折り線を介して底面パネル３５が連接されている。なお、屋根妻パネル２３、２５には切妻屋根部２０（図１参照）を形成する際、折り込みを容易にするための折り線ｎ１が上辺の中央を頂点とし、側面パネルと連接する両角とを結ぶ山形形状にそれぞれ設けられている。なお、図２に示す実線、一点鎖線は押罫で設けられるものであり、一点鎖線で示した部分は押罫と切り線が交互に配されるリード罫が好ましく、折り線ｍ、折り線ｎ１、ｎ２はリード罫が形成され、折り込み適性が向上する。
【００１６】
屋根パネル２４に連接された差し込み片２４ａの上下の長さは、屋根パネル２２、２４の上下の長さの１／３以上が好ましく、１／２以上がより好ましい。また、屋根パネル２２に連接された第１棟部形成片２２ａ、第２棟部形成片２２ｂ、折り込み片２２ｃは棟部Ｔを形成するものであり、第１棟部形成片２２ａのみで棟部Ｔとしてもよいが、このような構成にする方が棟部Ｔの形状が保持され外観も優れるので好ましい。差し込み片２４ａ及び棟部Ｔを設けることにより、後述するが、切妻屋根部２０を形成したとき、形状が安定して保持されるので好ましい。
【００１７】
図２に示したブランク１００は、糊代片１１の表側を側面パネル１５の端部の裏側に貼り合わせ角筒状を二つ折りした状態の所謂サック貼とされる。このとき、底部３０は底面パネル３３と接着片３２ａとが貼り合わされる。底面パネル３５と接着片３４ａとが貼り合わされ、胴部１０の内側に折り曲げられている。
【００１８】
図３は胴部１０、切妻屋根部２０、底部３０が二つ折りされた状態の平面図を示し、図４はその状態の底面図を示している。側面パネル１３、１４の内面は側面パネル１２、１５の内面に対向して近接している。そして、この状態では底部３０の底面パネル３２、３４は互いに離れており、底部３０は、底面パネル３２と接着片３２ａ及び底面パネル３４と接着片３４ａは折り線ｍで谷折りされ、接着片３２ａ及び接着片３４ａは底面パネル３３及び底面パネル３５に接着されると共に底面パネル及び接着片は折り込み部α及び折り込み部βで内側に折り込まれ、胴部１０の内側に折り込まれた底部３０’が側面パネルに重なった状態である（図４参照）。ゲーブルトップ型包装箱１は、ゲーブルトップ型包装箱１の郵送効率、保管効率を高めるためにサック貼の容積を小さくした状態で輸送や保管が行われる。
【００１９】
つぎに図３〜図７、図１を参照しながら本発明のゲーブルトップ型包装箱１の組み立て方について説明する。図２のブランク１００をサック貼後、図１に示すゲーブルトップ型包装箱１に組み立てるには、まず、図３にしめすように二つ折りされたサック貼状態から、図４に示すように折り込まれた底部３０’の状態から折り込み部α、βを相互に接近させる方向に押すと、側面パネル１２、１４及び側面パネル１３、１５が、側面パネルを連接する各折り線で山折りされ、角筒状の胴部１０が起こされる（起函）。これに連動して、胴部１０の内側に向かって折り込まれた底部３０’は、折り込み部α、βが外方に拡がり、底面パネル３２、３４が互いに係合して底部３０を形成する。この状態のとき、底面パネル３４の側面パネル１４と反対側の先端部が底面パネル３３の内側に配され、底面パネル３２の側面パネル１２と反対側の先端部が底面パネル３５の内側に配される。図５は形成された底部３０を示し、図１の底面図を示している。
【００２０】
このように、サック貼状態の折り畳まれたゲーブルトップ型包装箱１’を起函させると、胴部１０が起こされ角筒状になると同時に内側に折り込まれた底面パネル３２、３３、３４、３５及び接着片３２ａ、３４ａが外側に展開し平面状の底部３０が形成される。すなわち、ゲーブルトップ型包装箱１は所謂オートボトム構造を有しており、物品を収容する際、ワンタッチで組み立てることができる。
【００２１】
つぎにゲーブルトップ型包装箱１の上方の開口Ｋより底部３０を形成した胴部１０内に物品が収容される。
【００２２】
つぎに図６に示すように屋根パネル２２の上辺に連接された第１棟部形成片２２ａ、第２棟部形成片２２ｂ及び折り込み片２２ｃを折り線でくせ折りすると共に、第１棟部形成片２２ａと第２棟部形成片２２ｂが連接する折り線で１８０°折り曲げてそれぞれの内面を重合させ棟部Ｔを形成し、さらに折り込み片２２ｃを折り線で折り曲げて折り込み片２２ｃの内面を屋根パネル２２の内面に重合する。そして、屋根妻パネル２３、２５を折り線ｎ１で谷折りし、折り線ｎ２で山折りし、内側に折り曲げると屋根パネル２２、２４も側面パネルの上辺と連接するそれぞれの折り線で山折りされ、屋根パネル２２、２４の上辺が互いに近づき傾斜すると共に折り線ｎ１及び折り線ｎ２で囲まれた屋根妻パネル２３、２５の三角形の部分が内側に傾斜すると共にそれ以外の折り線ｎ１で区画された屋根妻パネル２３、２５の一方の三角形状の部分の内面は屋根パネル２２の内面に重合された折り込み片２２ｃの外面と屋根パネル２２の内面に重合され、他方の三角形状の部分の内面は屋根パネル２４の内面にそれぞれ重合される。そして、差し込み片２４ａを屋根パネル２４と連接する折り線で山折りし、折り込み片２２ｃの外面と屋根妻パネル２３、２５が折り曲げられて形成された一方の三角形状の部分の内面との間に差し込み片２４ａを差し込むことにより図１に示すゲーブルトップ型包装箱１が完成する。このように、本発明のゲーブルトップ型包装箱１は容易に手作業でも組み立てられる。
【００２３】
図７は、図１のＹ−Ｙ断面図であって、切妻屋根部２０の構造を示す説明図であり、円内部分の拡大図を示す。棟部Ｔは、折り線で折り返し第１棟部形成片２２ａと第２棟部形成片２２ｂの内面を重ね合わせて形成されている。そして、第２棟部形成片２２ｂに連接される折り込み片２２ｃが折り線で折り曲げられ折り込み片２２ｃの内面を屋根パネル２２の内面に重合されている。屋根パネル２４に連接される差し込み片２４ａが折り線で山折りされ、折り込み片２２ｃの外面と屋根妻パネル２３、２５が折り曲げられて形成された一方の三角形状の部分の内面との間の隙間に差し込み片２４ａが差し込まれている。差し込まれた差し込み片２４ａは元の状態に戻ろうとする反発力により付勢され屋根パネル２２の内面及び折り込み片２２ｃの外面に接し、係止される構造である。
【００２４】
図１、図７に示すように本発明のゲーブルトップ型包装箱１は、棟部Ｔが、二の方向で互いに対向する屋根パネル２２、２４のうち、一方の屋根パネル２２の上端に連接されている。他方の屋根パネル２４の上端に差し込み片２４ａが延設されており、一方の屋根パネル２２と折り込まれた屋根妻パネル２３、２５との間に差し込み片２４ａが二の方向に折り曲げて差し込まれている。なお、図１に示すように一の方向とは、対向する屋根妻パネル２３，２５の方向を示すものであり、二の方向とは一の方向と交差する方向で対向する屋根パネル２２、２４の方向を示すものである。
【００２５】
図１に示すゲーブルトップ型包装箱１は切妻屋根部２０の屋根パネル２２、２４は傾斜しているために従来の直方体の包装箱に比べ、屋根パネル２２、２４に印刷されたデザイン・文字等が顧客に見え、店頭での展示性が高いものとなり、他の商品との差別化を図ることが可能となる。また、顧客にはゲーブルトップ型包装箱１に収容されている物品は内容物が液体であると周知されているところ、手にしたゲーブルトップ型包装箱１に収容されている物品が粉末、固体等の食品類が個包装または個包装を集合包装された物品であることを知り、その意外性と衝撃を与えると同時に商品の宣伝効果、訴求効果を奏する。
【００２６】
物品が収容されたゲーブルトップ型包装箱１を開封するには、例えば、屋根パネル２４と折り込まれた屋根妻パネル２３が連接された部分と、屋根パネル２４と折り込まれた屋根妻パネル２５が連接された部分を指で挟み、屋根パネル２４と側面パネル１４が連接された折り線を回転軸として外側に回転すると差し込み片２４ａの係止状態が解除され、差し込み片２４ａは折り込み片２２ｃと屋根妻パネル２３、２５の間を摺動し、その隙間から解放され、開口Ｋ（図６参照）が形成され、ゲーブルトップ型包装箱１内に収容された物品を必要なだけ取り出した後、再び差し込み片２４ａを差し込むことにより再封できる。
【００２７】
本発明のゲーブルトップ型包装箱１を構成する基材は、紙基材が好ましく使用でき、コートボール、ノーコートボール、カード紙、アイボリー、クラフトボール等のコート紙、ノーコート紙等の板紙が使用できる。坪量としては２００ｇ／ｍ2  〜５００ｇ／ｍ2 である。通常、ゲーブルトップ型包装箱１の表面には印刷が施されるのでコート紙が好ましい。また、印刷表面に表面コートを施すことによって、意匠性を高めることもできる。
【００２８】
なお、今まで説明してきた実施形態は、本発明に係るゲーブルトップ型包装箱の代表的な実施例を挙げたものであって、本発明に係るゲーブルトップ型包装箱はこれに限るものではなく、本発明の趣旨を逸脱しない範囲において種々の変更が可能である。
【符号の説明】
【００２９】
１                                ゲーブルトップ型包装箱
１’                              折り畳まれたゲーブルトップ型包装箱
１００                            ブランク
１０                              胴部
１１                              糊代片
１２、１３、１４、１５            側面パネル
２０                              切妻屋根部
２２、２４                        屋根パネル
２２ａ                            第１棟部形成片
２２ｂ                            第２棟部形成片
２２ｃ                            折り込み片
２３、２５                        屋根妻パネル
２４ａ                            差し込み片
３０                              底部
３０’                            折り込まれた底部
３２、３３、３４、３５            底面パネル
３２ａ、３４ａ                    接着片
Ｋ                                開口
Ｔ                                棟部
ｍ、ｎ１、ｎ２                    折り線
α、β                            折り込み部
【図１】
2020158126.tif 000003
【図２】
2020158126.tif 000004
【図３】
2020158126.tif 000005
【図４】
2020158126.tif 000006
【図５】
2020158126.tif 000007
【図６】
2020158126.tif 000008
【図７】
2020158126.tif 000009